(57)【要約】【課題】  本発明は、押釦操作部材の押圧部の操作性を良好に保ちつつ、外部の振動などの影響による異音の発生等を抑えることが可能な押釦スイッチ構造を提供すること。【解決手段】  押釦スイッチ４０と対向してケース１０に設けられる開口部１２３と、開口部１２３に挿通され押圧部６１を押圧操作することによって回路基板２０上の押釦スイッチ４０を押圧作動する操作軸部６２を備えた押釦操作部材６０と、押圧部６１先端側に設けられ、開口部１２３から押釦操作部材６０を抜け止め保持するフランジ部６３とを備えた押釦スイッチ構造において、フランジ部６３の外周壁面部６３Ａは奥行き方向に向けて外形寸法が大きくなるように傾斜したテーパー部として設けられ、開口部１２３の内壁面部１２３Ａ箇所には、フランジ部６３の外周壁面部６３Ａの傾斜に倣ってテーパー状接触面部を設けてなることを特徴とする押釦スイッチ構造である。【選択図】  図４
2012033327.tif 000002
【特許請求の範囲】
【請求項１】
ケースと、このケース内に収容される回路基板と、この回路基板上に実装される押釦スイッチと、この押釦スイッチと対向して前記ケースに設けられる筒状からなる開口部と、この開口部に挿通され押圧部を押圧操作することによって前記回路基板上の前記押釦スイッチを押圧作動する操作軸部を備えた押釦操作部材と、この押釦操作部材の押圧部先端側に設けられたフランジ部と、このフランジ部の端面と突き当て配置され、前記押釦操作部材を抜け止め保持する前記開口部の押圧操作側の周縁に設けられた当接部と、からなる押釦スイッチ構造において、前記フランジ部の外周壁面部は奥行き方向に向けて外形寸法が大きくなるように傾斜したテーパー部として設けられ、前記開口部の内壁面部箇所には、前記フランジ部の外周壁面部の傾斜に倣ってテーパー状接触面部を設けてなることを特徴とする押釦スイッチ構造。
【請求項２】
前記フランジ部の外周壁面部の一部に前記押釦操作部材の押動方向に沿ってガイド部を設け、前記開口部の内壁面箇所には、前記ガイド部と対向する前記筒状からなる開口部の内壁面部箇所にガイド受部を設けてなることを特徴とする請求項１に記載の押釦スイッチ構造
【請求項３】
前記ガイド部および前記ガイド受部は、前記押釦操作部材の往復動する奥行き方向と平行となるように形成してなることを特徴とする請求項１または請求項２に記載の押釦スイッチ構造。
【請求項４】
前記フランジ部の外周壁面部または前記開口部の内壁面部箇所の少なくとも一方側に前記押釦操作部材の押動方向に沿って押圧操作時における摩擦を軽減するための線接触部を設けてなることを特徴とする請求項１から請求項３のいずれかに記載の押釦スイッチ構造。
【請求項５】
前記押釦操作部材から一体に前記操作軸部の押圧作動ストロークを設定するストローク設定部を前記回路基板側に向けて突出してなることを特徴とする請求項１から請求項４のいずれかに記載の押釦スイッチ構造。
【請求項６】
複数個の前記押釦操作部材がそれぞれ隣接して配置される押釦スイッチ構造において、押釦操作部材の境目となる前記押釦操作部材の仕切り部箇所には、前記押釦操作部材の押圧部の上面より盛り上がった仕切り用突部を設けてなることを特徴とする請求項１から請求項５のいずれかに記載の押釦スイッチ構造。
【発明の詳細な説明】
【技術分野】
【０００１】
本発明は、ケースの内部に収納されるプリント基板上に実装された押釦スイッチに対し、ケースの外部から押釦（押釦操作部材）を指先にて押圧操作することによって機器を操作するようにした押釦スイッチ構造に関するものである。
【背景技術】
【０００２】
この種の押釦スイッチ構造として、たとえば特許文献１などが知られている。この場合、一般的には、ケース内に収容される回路基板（プリント基板）と、この回路基板（プリント基板）上に実装される押釦スイッチ（スイッチ）と、この押釦スイッチ（スイッチ）と対向して前記ケースに設けられる筒状からなる開口部（開口穴）と、この開口部（開口穴）に挿通され押圧部（シャフト部）を押圧操作することによって前記回路基板（プリント基板）上の前記押釦スイッチ（スイッチ）を押圧作動する操作軸部（フランジ部）を備えた押釦操作部材（操作部材）と、この押釦操作部材（操作部材）の押圧部（シャフト部）先端側に設けられたフランジ部と、このフランジ部の端面と突き当て配置され、前記押釦操作部材（操作部材）を抜け止め保持する前記開口部（開口穴）の押圧操作側の周縁に設けられた当接部（上壁部）と、によって押釦スイッチ構造を構成している。
【０００３】
ところで、前記押釦スイッチ構造においては、押圧部（シャフト部）の先端側に外形寸法が大きく形成されたフランジ部によってケースの開口部（開口穴）から抜け出ることがないように形成されているため、押圧作動（復帰作動を含む）を安定した状態にて行うことができるというメリットがある。
【先行技術文献】
【特許文献】
【０００４】
【特許文献１】特開２００９−１４５５７０号公報
【発明の概要】
【発明が解決しようとする課題】
【０００５】
しかしながら、ケースに設けた開口部から押釦操作部材を挿通して押圧部（シャフト部）を突出するように設けているため、各部品のバラツキなどによって隙間が大きくなって押釦操作部材が傾いたり、外部の振動などの影響などによって押釦操作部材がケースに対して接触することで軋み音などが発生してしまうという問題がある。
【０００６】
また、隙間がほとんどない場合にあっては、押釦操作部材の押圧操作においてスムーズに動かないことがあり、ケースとの摩擦により押釦操作部材やケースとが擦れあって粉が発生してしまうことがある。
【０００７】
本発明は前述した問題点に着目し、キートップ箇所となる押釦操作部材の押圧部の操作性を良好に保ちつつ、外部の振動などの影響による異音の発生などを抑えることが可能な押釦スイッチ構造を提供することを目的とする。
【課題を解決するための手段】
【０００８】
本発明は上記目的を達成するため、以下の技術的手段を採用する。
【０００９】
本発明は前述した課題を解決するため、請求項１に記載の押釦スイッチ構造では、ケースと、このケース内に収容される回路基板と、この回路基板上に実装される押釦スイッチと、この押釦スイッチと対向して前記ケースに設けられる筒状からなる開口部と、この開口部に挿通され押圧部を押圧操作することによって前記回路基板上の前記押釦スイッチを押圧作動する操作軸部を備えた押釦操作部材と、この押釦操作部材の押圧部先端側に設けられたフランジ部と、このフランジ部の端面と突き当て配置され、前記押釦操作部材を抜け止め保持する前記開口部の押圧操作側の周縁に設けられた当接部と、からなる押釦スイッチ構造において、前記フランジ部の外周壁面部は奥行き方向に向けて外形寸法が大きくなるように傾斜したテーパー部として設けられ、前記開口部の内壁面部箇所には、前記フランジ部の外周壁面部の傾斜に倣ってテーパー状接触面部を設けてなることを特徴とする押釦スイッチ構造である。
【００１０】
上述の構成によれば、押釦操作部材に設けられたフランジ部の外周壁面部を奥行き方向に向けて外形寸法が大きくなるように傾斜したテーパー部として設け、このテーパー部の傾斜に倣って、前記開口部の内壁面部箇所にテーパ状接触面部を設けることによって、押釦操作部材をケース内にセットした状態、すなわち押釦操作部材を操作していない状態において、押釦操作部材に設けられたフランジ部のテーパー部と、ケース側のテーパ状接触面部箇所とが均一に接触状態を保つことによって外部の振動などの影響に作用されることなく維持することが可能となり、軋み音などの異音の発生を抑制することができる。
【００１１】
また請求項２では、請求項１に記載の押釦スイッチ構造において、前記フランジ部の外周壁面部の一部に前記押釦操作部材の押動方向に沿ってガイド部を設け、前記開口部の内壁面箇所には、前記ガイド部と対向する前記筒状からなる開口部の内壁面部箇所にガイド受部を設けてなることを特徴とするものである。
【００１２】
このように構成することにより、押釦操作部材のフランジの外周壁面部の一部に押釦操作部材の押動方向に沿ってガイド部を設け、このガイド部と対向する筒状の開口部の内壁面部箇所にガイド受部を設けることによって、押釦操作部材の押動操作（押圧操作）に合わせて奥行き方向に沿ってスムーズに往復動作することができる。
【００１３】
また請求項３では、請求項１または請求項２に記載の押釦スイッチ構造において、前記ガイド部および前記ガイド受部は、前記押釦操作部材の往復動する奥行き方向と平行となるように形成してなることを特徴とするものである。
【００１４】
このように構成することにより、押釦操作部材の押動往復動作をスムースにしてガイド部とガイド受部との係合状態を良好に保つことができる。
【００１５】
また請求項４では、請求項１から請求項３に記載の押釦スイッチ構造において、前記フランジ部の外周壁面部または前記開口部の内壁面部箇所の少なくとも一方側に前記押釦操作部材の押動方向に沿って押圧操作時における摩擦を軽減するための線接触部を設けてなることを特徴とするものである。
【００１６】
このように構成することにより、押釦操作部材の操作時において、押釦操作部材とケース側との接触面積を抑えることができ、部分的な引っかかりもなく円滑なる作動が可能となるものである。
【００１７】
また請求項５では、請求項１から請求項４のいずれかに記載の押釦スイッチ構造において、前記押釦操作部材から一体に前記操作軸部の押圧作動ストロークを設定するストローク設定部を前記回路基板側に向けて突出してなることを特徴とするものである。
【００１８】
このように構成することにより、押釦操作部材の押圧操作時において押釦スイッチに過負荷を加えることなく安定した押圧動作を実現することができ、押釦スイッチを傷めてしまうという問題も軽減することができる。
【００１９】
また請求項６では、請求項１から請求項５のいずれに記載の押釦スイッチ構造において、複数個の前記押釦操作部材がそれぞれ隣接して配置される押釦スイッチ構造において、押釦操作部材の境目（境界）となる前記押釦操作部材の仕切り部箇所には、前記押釦操作部材の押圧部の上面より盛り上がった仕切り用突部を設けてなることを特徴とするものである。
【００２０】
このように構成することにより、押釦スイッチを押圧操作するに際し、仕切り用突部によって指先にて感覚的に把握することができ、操作の過ちなどを未然に防ぐことが可能となる。
【発明の効果】
【００２１】
本発明では、ケースと、このケース内に収容される回路基板と、この回路基板上に実装される押釦スイッチと、この押釦スイッチと対向して前記ケースに設けられる筒状からなる開口部と、この開口部に挿通され押圧部を押圧操作することによって前記回路基板上の前記押釦スイッチを押圧作動する操作軸部を備えた押釦操作部材と、この押釦操作部材の押圧部先端側に設けられたフランジ部と、このフランジ部の端面と突き当て配置され、前記押釦操作部材を抜け止め保持する前記開口部の押圧操作側の周縁に設けられた当接部と、からなる押釦スイッチ構造において、前記フランジ部の外周壁面部は奥行き方向に向けて外形寸法が大きくなるように傾斜したテーパー部として設けられ、前記開口部の内壁面部箇所には、前記フランジ部の外周壁面部の傾斜に倣ってテーパー状接触面部を設けてなることを特徴とする押釦スイッチ構造であるため、押釦操作部材をケース内にセットした状態、すなわち押釦操作部材を操作していない状態において、押釦操作部材に設けられたフランジ部のテーパー部と、ケース側のテーパ状接触面部箇所とが均一に接触状態を保つことによって外部の振動などの影響に作用されることなく維持することが可能となり、軋み音などの異音の発生を抑制することができるものであり、これにより初期の目的を達成することができる。
【図面の簡単な説明】
【００２２】
【図１】図１は、本発明の第１の実施形態である計器装置を示す正面図である。
【図２】図２は、図１の押釦スイッチ構造の一部を切り欠いて表した要部の正面図である。
【図３】図１のＡ−Ａ線箇所の要部を示す断面図である。
【図４】図４は、図３の要部を示す拡大断面図である。
【図５】図５は、図１のＢ−Ｂ線箇所の概略を示す断面図である。
【図６】図６は、本発明の第１の実施形態である押釦スイッチ構造の概要を示す斜視図である。
【発明を実施するための最良の形態】
【００２３】
本発明の対象とする押釦スイッチ構造として、自動車の計器装置などにおいて、計器装置のメータケース内に組み付けられる表示器、たとえば時計や走行距離を表示するオドメータ、トリップメータなどの表示器の表示状態である時計の表示修正やオド・トリップなどの切り換え表示などを行う押釦スイッチ構造を例にして詳述する。
【００２４】
以下本発明の第１の実施形態を添付図面に基づいて説明する。図１から図６は本発明の第１実施形態を示すもので、自動車などのメータなどを収容する合成樹脂製のケース１０内に硬質材料からなる回路基板２０が配設され、この回路基板２０に液晶などからなる表示器３０や指針の指示によるアナログ式指示計器３１、そして図示はしないが回路部品などが組み付けられている。この回路基板２０にはさらに前記表示器３０の表示切り替え、表示器３０の表示値の修正などを行う複数のタクトスイッチなどからなる押釦スイッチ４０やＬＥＤなどの光源５０とが組み付けられている。
【００２５】
また、ケース１０としては、前記回路基板２０や表示器３０、アナログ式指示計器３１などを収容する下ケース１１と表示器３０やアナログ式指示計器３１などが視認可能な上ケース１２とから形成されており、この上ケース１２は、少なくとも前面が透視可能な樹脂材料からなる透視パネル部材１２０と、表示器３０やアナログ式指示計器３１などの表示領域を仕切る黒色の合成樹脂材料からなる見返しパネル部材１２１とによって形成されている。この場合、ケース１０の一部を構成する見返しパネル部材１２１には、前記表示器３０やアナログ式指示計器３１などを視認するための開口窓部１２２が設けられるとともに、複数設けられた前記押釦スイッチ４０のそれぞれの位置に対向する見返しパネル部材１２１箇所には筒状からなる開口部１２３がそれぞれ設けられている。なお、本実施形態にあっては、４つの開口部１２３が設けられており、この開口部１２３には、走行距離を表示するオドメータ、トリップメータ、時計の表示修正や例えば照明輝度のオン・オフの切り換え表示を行う押釦スイッチ４０として回路基板２０上に設けられている。
【００２６】
また、見返しパネル部材１２１に設けられた複数個の開口部１２３（４箇所）の位置にそれぞれ対応して合成樹脂製からなる押釦操作部材６０が配置されるものであり、押釦操作部材６０の押圧部６１を押圧操作することによって回路基板２０上に取り付け固定された押釦スイッチ４０が押釦操作部材６０に備え付けられた操作軸部６２を介して押圧作動されるように形成されている。
【００２７】
この場合、押釦操作部材６０には、押釦スイッチ４０を押圧作動するための操作軸部６２が設けられるとともに、押圧部６１の周縁から一体にフランジ部６３が設けられている。
【００２８】
本実施形態にあっては、フランジ部６３の外周壁面部６３Ａは奥行き方向に向けて外形寸法が大きくなるように傾斜したテーパー部として形成されている。この際、横一列に並んでいる中央２個の押釦操作部材６０にあっては、フランジ部６３の外周壁面部６３Ａの前側と手前側との２面が奥行き方向に向けて外形寸法が大きくなるように傾斜したテーパー部として形成されており、両側部に位置したフランジ部６３の外周壁面部６３Ａは垂直壁からなる外周壁面部６３Ａとして形成している。また左サイドに位置した押釦操作部材６０にあっては、前側と手前側および左側部の３方の面（フランジ部６３の外周壁面部６３Ａ）が奥行き方向に向けて外形寸法が大きくなるように傾斜したテーパー部として形成されている。また右サイドに位置した押釦操作部材６０にあっては、前側と手前側および右側部の３方の面（フランジ部６３の外周壁面部６３Ａ）が奥行き方向に向けて外形寸法が大きくなるように傾斜したテーパー部として形成されている。
【００２９】
また、フランジ部６３の外周壁面部６３Ａの箇所の適所には、押釦操作部材６０の押動方向に沿って凹溝形状からなるガイド部６４が設けられている。本実施形態においては、押釦操作部材６０の操作部６１の前側と手前側とに位置したフランジ部６３の外周壁面部６３Ａにガイド部６４が一つずつ設けられている。この場合、凹溝形状からなるガイド部６４は、押釦操作部材６０の往復動する奥行き方向と平行となるように凹形状の溝部を形成している。
【００３０】
また、上ケース１２の見返しパネル部材１２１に設けられる筒状からなる開口部１２３の内壁面部１２３Ａ箇所には、それぞれの押釦操作部材６０に設けられたテーパー部からなるフランジ部６３の外周壁面部６３Ａの傾斜に倣ってテーパー状接触面部を設けている。また、開口部１２３の内壁面部１２３Ａ箇所には、押釦操作部材６０のフランジ部６３箇所に設けられた凹溝形状からなるガイド部６４（２箇所）に合わせるように凸形状のリブからなるガイド受部１２４が２箇所に設けられている。この場合、凸形状のリブからなるガイド受部１２４は、押釦操作部材６０の往復動する奥行き方向と平行となるように同じ外形寸法にてリブが突出形成されている。
【００３１】
また押釦操作部材６０の押圧部６１先端側にフランジ部６３が形成され、このフランジ部６３による段部からなる端面６３Ｂと、開口部１２３の押圧操作側に設けられた内側壁面からなる当接部１２３Ｂとが押圧操作の復帰作動時において接触（当接）するように設けられるために、押釦操作部材６０がケース１０側である見返しパネル部材１２１に対して抜け止め保持される。
【００３２】
また本実施態では、押釦操作部材６０の押圧操作時において、押釦操作部材６０と開口部１２３の内壁面部１２３Ａ箇所との摩擦を軽減するために、フランジ部６３の外周壁面部６３Ａに押釦操作部材６０の押動方向に沿って帯状の突部からなる線接触突出部６５を設けている。
【００３３】
また押釦操作部材６０には、フランジ部６３の下端側から一体に操作軸部６２の押圧作動ストロークを設定するストローク設定部６６を回路基板２０側に向けて突出している。
【００３４】
また本実施形態のように、複数個の押釦操作部材６０がそれぞれ隣接して配置される押釦スイッチ構造においては、押釦操作部材６０の境目となる見返しパネル部材１２１箇所に押釦操作部材６０を区切る仕切り部１２５が設けられ、この仕切り部１２５によって区切られた仕切り部１２５の表面箇所には、押釦操作部材６０の押圧部６１の上面より盛り上がった仕切り用突部１２５Ａが形成されている。
【００３５】
なお、回路基板２０上には、押釦スイッチ４０とともに、ＬＥＤからなる光源５０が実装されているが、この実施形態では、各押釦スイッチ４０の間に光源５０を設置するように設定している。このため、光源５０の数を押釦スイッチ４０の数より少なく設定することが可能となり、部品コストを抑えることができる。この際、押釦操作部材６０の押圧部６１に印刷にて形成した文字や記号あるいは図形などからなる透過表示部を光源５０によって透過照明することができるものであり、また仕切り部１２５によって光洩れも抑えることができる。
【００３６】
このように構成された第１の実施形態における押釦スイッチ構造においては、押釦操作部材６０の押圧部６１を押圧操作することによって、回路基板２０上に取付固定された押釦スイッチ４０が押釦操作部材６０に備え付けられた操作軸部６２を介して押圧作動され、たとえば時計や走行距離を表示するオドメータ、トリップメータなどの表示器３０の表示状態である表示修正やオド・トリップなどの切り換え表示が行われる。
【００３７】
押釦操作部材６０に設けられたフランジ部６３の外周壁面部６３Ａを奥行き方向に向けて外形寸法が大きくなるように傾斜したテーパー部として設け、ケース１０の一部を構成する見返しパネル部材１２１に設けられた開口部１２３の内壁面部１２３Ａ箇所には、フランジ部６３の外周壁面部６３Ａの傾斜に倣ってテーパー状接触面部（内壁面部１２３Ａ）を設けることによって押釦操作部材６０を見返しパネル部材１２１内にセットした状態、すなわち押釦操作部材６０を押圧操作していない状態において、押釦操作部材６０に設けられたフランジ部６３のテーパー部（外周壁面部６３Ａ）と、見返しパネル部材１２ｂ側のテーパ状接触面部（内壁面部１２３Ａ）箇所とが均一に接触状態を保つことによって外部の振動などの影響に作用されることなく維持することが可能となり、軋み音などの異音の発生を抑制することができる。
【００３８】
また、押釦操作部材６０のフランジ６３の外周壁面部６３Ａの一部に押釦操作部材６０の押動方向に沿って凹溝形状からなるガイド部６４を設け、このガイド部６４と対向する筒状からなる開口部１２３の内壁面部１２３Ａ箇所に凸形状のリブからなるガイド受部１２４を設けることによって、押釦操作部材６０の押動操作（押圧操作）に合わせて奥行き方向に沿ってスムーズに往復動作することができる。
【００３９】
この際、本実施形態にあっては、ガイド部６４として、押釦操作部材６０の往復動する奥行き方向と平行となるように凹形状の溝部を形成し、この凹溝形状からなるガイド部６４に合わせて凸形状のリブからなるガイド受部１２４を形成することによって、押釦操作部材６０の押動往復動作をスムースにしてガイド部６４とガイド受部１２４との係合状態を良好に保つことができる。
【００４０】
また、フランジ部６３の外周壁面部６３Ａに押釦操作部材６０の押動方向に沿って押圧操作時における摩擦を軽減するための帯状突部からなる線接触突出部６５を設けてなることにより、押釦操作部材６０の操作時において、押釦操作部材６０とケース１０側である見返しパネル部材１２１との接触面積を抑えることができ、部分的な引っかかりもなく円滑なる作動が可能となるものである。この際、本実施形態ではフランジ部６３の外周壁面部６３Ａ箇所に線接触突出部６５を設けたが、ケース１０側である見返しパネル部材１２ｂの内壁面部１２３Ａ箇所に線接触突出部を設けても同様の効果を得ることが可能である。
【００４１】
また、押釦操作部材６０から一体に操作軸部６２の押圧作動ストロークを設定するストローク設定部６６を回路基板２０側に向けて突出してなることにより、押釦操作部材６０の押圧操作時において、押釦操作部材６０の押圧部６１が奥行き方向に移動するストロークが制限されるため、結果として操作軸部６１の押動ストロークが所定の移動量として設定されるため、これにより押釦スイッチ４０を押圧してスイッチング作動する状態を最良な状態にセッティングすることができるものであり、押釦スイッチ４０時自体に過負荷を加えることなく安定した押圧動作を実現することができ、押釦スイッチ４０を傷めてしまうという問題も解決することができる。
【００４２】
また、複数個の押釦操作部材６０がそれぞれ隣接して配置される押釦スイッチ構造において、押釦操作部材６０の境目（境界）となる押釦操作部材６０の仕切り部１２５箇所には、押釦操作部材６０の押圧部６１の上面より盛り上がった仕切り用突部１２５Ａを設けてなることにより、押釦スイッチ４０を押圧操作するに際し、仕切り用突部１２５Ａによって指先にて感覚的に把握することができ、操作の過ちなどを未然に防ぐことが可能となる。
【００４３】
なお本発明は、前述した実施例に限定されるものではなく本発明の要旨の範囲内において種々の変形実施が可能である。たとえば、実施形態においては、複数個の押釦操作部材を並べて設けていたが、それぞれ独立した状態にてケースに対し配置するようにしても良いものであり、また実施形態にあっては押釦操作部材６０の押動方向に沿って凹溝形状からなるガイド部６４を設け、ケース側に凹溝形状からなるガイド部６４に合わせるようにケース側に凸形状のリブからなるガイド受部１２４を設けていたが、凹凸によるガイド部の配置を変えて、押釦操作部材６０側に凸形状のリブからなるガイド部を、ケース側に凹形状からなる溝状のガイド受け部を設けるように形成しても同様な効果を得ることが可能である。また、押釦スイッチ４０としてタクトスイッチを例にして説明したが、導電ゴムからなる押釦スイッチであっても同様の効果を得ることが可能である。また、押圧部６１の周縁から一体に設けられたフランジ部６３の形状やフランジ部６３のテーパー部の傾斜角度などは、押釦操作部材６０の大きさや奥行きストロークなどの条件によって適宜設定すれば良いものである。
【産業上の利用可能性】
【００４４】
また、前述した実施形態において詳述したように、自動車における計器装置において、押釦スイッチ構造を適用した例を説明したが、車両用に限らず船舶用計器あるいは農業用機械や建設機械などの表示装置においても押釦スイッチ構造を適用することが可能であり、同様な効果を得ることができる。
【符号の説明】
【００４５】
１０    ケース
１１    下ケース
１２    上ケース
２０    回路基板
３０    表示器  
３１    アナログ式指示計器
４０    押釦スイッチ
５０    光源（ＬＥＤ）
６０    押釦操作部材
６１    押圧部    
６２    操作軸部
６３    フランジ部
６３Ａ    外周壁面部
６３Ｂ    端面（段部）
６４    ガイド部
６５    線接触部
６６    ストローク設定部
１２０    透視パネル部材
１２１    見返しパネル部材
１２２    開口窓部
１２３    開口部
１２３Ａ    内壁面部
１２３Ｂ    当接部
１２４    ガイド受部
１２５  仕切り部
１２５Ａ    仕切り用突部
【図１】
2012033327.tif 000003
【図２】
2012033327.tif 000004
【図３】
2012033327.tif 000005
【図４】
2012033327.tif 000006
【図５】
2012033327.tif 000007
【図６】
2012033327.tif 000008